(57)【要約】      （修正有）【課題】効率良く情報登録する。【解決手段】表示機能と操作機能とが一体化している表示操作部１０を有し、表示部２３０を有する売上データ処理装置２００と通信接続可能なタブレット１００であって、所定の情報（必須情報）が前記表示操作部に入力されたとき、当該情報に関わる関連情報（付加情報、支援情報）を前記表示部に表示させる表示指示を前記売上データ処理装置に送信する制御部５０を備える。【選択図】図１
2019220031.tif 000002
【特許請求の範囲】
【請求項１】
表示機能と操作機能とが一体化している表示操作部を有し、表示部を有する売上データ処理装置と通信接続可能な電子機器であって、
前記表示操作部の操作状態に応じて、売上に関連する関連情報を前記表示部に表示させる表示指示を前記売上データ処理装置に送信する制御部を備える
ことを特徴とする電子機器。
【請求項２】
請求項１に記載の電子機器であって、
前記制御部は、前記表示操作部の操作状態として、情報の入力を受け付ける
ことを特徴とする電子機器。
【請求項３】
請求項２に記載の電子機器であって、
前記情報は、売上情報であり、
前記関連情報は、商品の売り上げを支援する支援情報である
ことを特徴とする電子機器。
【請求項４】
請求項１に記載の電子機器であって、
前記操作状態は、前記表示操作部の操作が行われない無操作状態を含む
ことを特徴とする電子機器。
【請求項５】
請求項１に記載の電子機器であって、
前記表示部は、前記売上データ処理装置との通信が確立していないとき、商品登録情報を表示するものである
ことを特徴とする電子機器。
【請求項６】
表示部を有する売上データ処理装置と、表示機能と操作機能とが一体化している表示操作部を有する電子機器とが互いに通信可能に接続される電子機器システムであって、
前記電子機器は、所定の情報が前記表示操作部に入力されたとき、当該情報に関わる関連情報を前記表示部に表示させる表示指示を前記売上データ処理装置に送信し、
前記売上データ処理装置は、前記売上データ処理装置から受信した関連情報を前記表示部に表示する
ことを特徴とする売上データ処理システム。
【請求項７】
請求項６に記載の売上データ処理システムであって、
前記売上データ処理装置は、前記電子機器との通信が確立していないとき、商品登録情報を前記表示部に表示する
ことを特徴とする売上データ処理システム。
【請求項８】
表示機能と操作機能とが一体化している表示操作部を有し、表示部を有する売上データ処理装置と通信可能な電子機器の制御部によって実行されるプログラムであって、
所定の情報が前記表示操作部に入力されたとき、当該情報に関わる関連情報を前記表示部に表示させる表示指示を前記売上データ処理装置に送信させるステップを実行させる
ことを特徴とするプログラム。
【発明の詳細な説明】
【技術分野】
【０００１】
本発明は、電子機器、売上データ処理システム、及びプログラムに関する。
【背景技術】
【０００２】
商品の販売や飲食物の提供を行う店舗では、キーボード及び表示器を配設したキャッシュレジスタが多用される。そして、プリンタ及び表示器とタブレット端末とをインターフェースボードを介して接続した情報処理装置をキャッシュレジスタとして機能させたものが知られている（特許文献１）。
【先行技術文献】
【特許文献】
【０００３】
【特許文献１】特開２０１５−１８５２１号公報
【発明の概要】
【発明が解決しようとする課題】
【０００４】
ところで、キャッシュレジスタと通信可能に接続されたタブレット端末を用いて、飲食物の受注作業を顧客テーブルの近傍で行うことができるようになる。飲食物の受注は、タブレット端末のみで完結できるが、タブレット端末の表示操作部はサイズの制約があるため、更なる作業効率向上の要請がある。
【０００５】
本発明は、このような問題を解決するためになされたものであり、効率良く情報登録することができる電子機器、売上データ処理システム、及びプログラムを提供することを目的とする。
【課題を解決するための手段】
【０００６】
前記課題を解決するために、本発明は、表示機能と操作機能とが一体化している表示操作部を有し、表示部を有する売上データ処理装置（例えば、ＥＣＲ（Electronic Cash Register））と通信接続可能な電子機器(例えば、タブレット端末)であって、所定の情報（例えば、必須情報）が前記表示操作部に入力されたとき、当該情報に関わる関連情報（例えば、前記必須情報に対する付加情報、支援情報）を前記表示部に表示させる表示指示を前記売上データ処理装置に送信する制御部を備えることを特徴とする。なお、（  ）内の符号や文字は例示である。
【発明の効果】
【０００７】
本発明によれば、効率良く情報登録することができる。
【図面の簡単な説明】
【０００８】
【図１】本発明の実施形態である注文受付装置の構成図である。
【図２】本発明の実施形態である売上データ処理システムの外観を示す斜視図である。
【図３】関連情報テーブルの一例を示す図である。
【図４】本発明の実施形態である売上データ処理システムの通信動作を説明するフローチャートである。
【図５】電子機器の通信状態を示す通信設定画面の一例を示す図である。
【図６】本発明の実施形態である売上データ処理システムの表示動作を説明するフローチャートである。
【図７】売上登録画面の一例を示す図である。
【図８】売上データ処理装置の表示部に表示される画面の例（１）である。
【図９】売上データ処理装置の表示部に表示される画面の例（２）である。
【図１０】売上データ処理装置の表示部に表示される画面の例（３）である。
【図１１】売上データ処理装置の表示部に表示される画面の例（４）である。
【図１２】売上データ処理装置の表示部に表示される画面の例（５）である。
【図１３】売上データ処理装置の表示部に表示される画面の例（６）である。
【図１４】売上データ処理装置の表示部に表示される画面の例（７）である。
【図１５】売上データ処理装置の表示部に表示される画面の例（８）である。
【図１６】変形例における売上登録画面の一例が表示された電子機器を示す図である。
【図１７】変形例において、売上データ処理装置の表示部に表示される画面の例である。
【発明を実施するための形態】
【０００９】
以下、図面を参照して、本発明の実施の形態（以下、「本実施形態」と称する）につき詳細に説明する。なお、各図は、本実施形態を十分に理解できる程度に、概略的に示してあるに過ぎない。また、各図において、共通する構成要素や同様な構成要素については、同一の符号を付し、それらの重複する説明を省略する。
【００１０】
（実施形態）
図１は、本発明の実施形態である売上データ処理システムの構成図であり、図２は、本発明の実施形態である売上データ処理システムの外観を示す斜視図である。
売上データ処理システム１は、電子機器１００と売上データ処理装置２００とが、互いに近距離無線通信によって接続可能なように構成されている。なお、電子機器１００は、売上データ処理装置２００の上に載置されて使用することができる。
【００１１】
電子機器１００は、表示操作部１０と、通信部２０と、ＲＯＭ（Read Only Memory）４０と、ＲＡＭ（Random Access Memory）４５と、制御部５０とを備えて構成されるタブレット端末である。表示操作部１０は、表示機能と操作機能とが一体化しているタッチパネルである。
【００１２】
売上データ処理装置２００は、通信部２２０と、表示部２３０と、客用表示部２３５と、操作部２４０と、制御部２５０と、印刷部２６０と、ＲＯＭ２９０と、ＲＡＭ２９５とを備えて構成される。表示部２３０は、ＬＣＤ（Liquid Crystal Display）やＬＥＤ（Light Emitting Diode）であり、主として商品や役務（以下、商品等という）の単価や合計を示す数字を表示する。客用表示部２３５は、表示部２３０の反対側に設けられ、顧客が金額等を確認するディスプレイである。操作部２４０は、テンキー等を複数のスイッチで構成したものである。売上データ処理装置２００は、操作部２４０の操作に基づいて、売り上げた商品の登録を行う装置であり、商品の金額や、釣銭等の商品登録情報を表示部２３０に表示する。
【００１３】
通信部２０，２２０は、Bluetooth（登録商標）やWi-Fi（登録商標）等の近距離無線通信を行うハードウェアである。印刷部２６０は、レシートを印刷する熱転写プリンタである。ＲＡＭ４５，２９５は、後記する関連情報を一時記憶する揮発性記憶部である。ＲＯＭ４０，２９０は、関連情報テーブル４１と、ＯＳ（Operating System）やプログラム４２とが格納されている不揮発性記憶部である。
【００１４】
図３は、関連情報テーブルの一例を示す図である。
関連情報テーブル４１は、関連情報４１ｂと、変数４１ｃと、文字列４１ｄとの組合せが、番号４１ａを付して列挙されたテーブルである。例えば、番号「００１」の列において、関連情報「アルコール確認」は、文字列「酒類の注文の有無を確認」である。この文字列は、後記するように、客層が２０歳代であるときに表示されるものである。また、番号「００２」〜「００８」の列の説明も後記する。
【００１５】
制御部５０は、ＣＰＵ（Central Processing Unit）であり、ＯＳ及びプログラムが実行されることにより、売上登録部５１と、表示操作制御部５２と、関連情報生成部５３との機能を実現する。売上登録部５１は、商品等の受注から代金受取までを管理する機能部である。表示操作制御部５２は、売上登録画面を表示操作部１０に表示させる機能部であり、売上登録部５１と連関して処理を実行する。関連情報生成部５３は、表示操作部１０の操作機能を用いて入力された所定の情報（必須情報）に関わる情報（例えば、必須情報に対する付加情報や支援情報）を生成する。具体的には、関連情報生成部５３は、入力された所定の情報に基づいて、関連情報テーブル４１の所定の番号４１ａが選択され、関連情報４１ｂとして、変数４１ｃに従った文字列４１ｄを決定する。そして、関連情報生成部５３は、通信部２０に対して、生成した関連情報４１ｂとしての文字列４１ｄを売上データ処理装置２００に対して送信させる。
【００１６】
制御部２５０は、ＣＰＵであり、ＯＳ及びプログラムが実行されることにより、売上登録部５１と、表示操作制御部５２との機能を実現する。売上登録部２５１は、商品等の受注から代金受取までを管理する機能部である。表示操作制御部２５２は、商品等の単価や合計を表示部２３０に表示させたり、操作部２４０で行われた入力を受け付けたりする機能部である。特に、本実施形態においては、表示操作制御部２５２は、通信部２２０が受信した関連情報を表示部２３０に表示させる。また、表示操作制御部２５２は、通信が確立しないとき、商品の金額や、釣銭等の商品登録情報を表示部２３０に表示させる。
【００１７】
図４は、本発明の実施形態である売上データ処理システムの通信動作を説明するフローチャートであり、主として、電子機器１００の制御部５０がＯＳを実行しているときの動作を説明している。
売上データ処理装置２００が待ち受け状態であるときに（Ｓ１）、電子機器１００の制御部５０は、売上データ処理装置２００に対して、無線接続指示を行う（Ｓ２）。売上データ処理装置２００は、電子機器１００に対して、無線接続指示への返信処理を行う（Ｓ３）。電子機器１００は、所定時間内に通信が確立したか、つまり、無線接続指示への返信が所定時間内にあったか否か判定する（Ｓ４）。所定時間内に通信が確立したら（Ｓ４で「通信確立」）、電子機器１００は、設定画面において「接続済み」の表示がされるように設定を行う（Ｓ５）。一方、所定時間内に通信が確立しなければ、つまり、無線接続指示への返信が所定時間内になければ（Ｓ４で「通信非確立」）、電子機器１００は、設定画面において、「未接続」の表示が行われるように設定を行う（Ｓ６）。Ｓ５又はＳ６の処理後、電子機器１００は、メニュー画面を表示し（Ｓ７）、アプリアイコンがタップされるまで待機する（Ｓ８）。
【００１８】
図５は、電子機器の通信状態を示す通信設定画面の一例を示す図である。
通信設定画面３１０は、電子機器１００のメニュー画面で「通信設定」ボタン（図示せず）をタップしたときに表示される画面である。通信設定画面３１０は、ユーザ表示欄３１１と、「Bluetooth（登録商標）」設定表示ボタン３１２と、「Bluetooth（登録商標）」オン／オフ設定スイッチ３１３と、「Bluetooth（登録商標）」状態表示３１４とを備えている。
【００１９】
「Bluetooth（登録商標）」設定表示ボタン３１１は、「機内モード」、「Wi-Fi（登録商標）」、「Bluetooth」、「モバイルネットワーク」、「テザリング」等の何れかの通信モードの中からBluetoothの通信設定を行うときにタップするボタンである。「Bluetooth（登録商標）」設定表示ボタン３１１をタップすると、右欄の設定画面が表示される。「Bluetooth（登録商標）」オン／オフ設定スイッチ３１３は、Bluetooth（登録商標）の使用／不使用を選択するスイッチである。「Bluetooth（登録商標）」状態表示３１４は、Bluetooth（登録商標）で「未接続」か「接続済み」であるかを表示する領域である。なお、図５の表示例では、「ペアリングされたデバイス」が売上データ処理装置２００であることを示す「ＥＣＲ−００１」に対して、「未接続」であることを示している。なお、図５の表示例には、他の使用可能なデバイスの名称が複数表示されている。
【００２０】
図６は、本発明の実施形態である売上データ処理システムの表示動作を説明するフローチャートである。このルーチンは、電子機器１００のメニュー画面において、レジアプリのアイコンがタップされたときに起動する。
電子機器１００の制御部５０は、売上登録画面４００（図７）を表示操作部１０に表示させる（Ｓ２０）。
【００２１】
図７は、売上登録画面の一例を示す図である。
売上登録画面４００は、小計欄４１０と、テンキー欄４２０と、「お客様」欄４３０と、客数欄４３５と、商品選択欄４４０と、明細欄４５０と、「ＭＥＮＵ」選択欄４６０と、画面選択欄４７０とを備える。小計欄４１０と、テンキー欄４２０と、明細欄４５０とは、左側に配設されており、「お客様」欄４３０と、商品選択欄４４０と、「ＭＥＮＵ」選択欄４６０とは、右側に配設されている。また、小計欄４１０と明細欄４５０とは、上下に並置されている。
【００２２】
小計欄４１０は、「計」表示欄４１１と「税」表示欄４１２とが上下に並設されて構成されている。ここでは、具体的な例として、計「\4780」、税「\354」が表示されている。テンキー欄４２０は、数字表示欄４２１と、テンキー４２２と、機能ボタン４２３を備える。明細欄４５０は、「商品名」羅列欄４５１と、「個数」表示欄４５２と、「金額」表示欄４５３とが左右方向に併置されて構成されている。また、「商品名」羅列欄４５１と「個数」表示欄４５２と「金額」表示欄４５３との下部には、空欄領域４５４が設けられている。
【００２３】
「お客様」欄４３０は、「お客様」特定欄４３１と「客層」指定欄４３２とが左右に併設されて構成されている。商品選択欄４４０は、複数種類の商品選択ボタンから構成されている。「ＭＥＮＵ」選択欄４６０は、複数のＭＥＮＵボタンから構成されている。例えば、「ＭＥＮＵ０２」がタップされると、図６のような居酒屋メニューが商品選択欄４４０に表示される。画面選択欄４７０は、「中止」ボタン４７１、「商品」ボタン４７２、「取引」ボタン４７３、「機能」ボタン４７４、「伝票」ボタン４７５、「小計」ボタン４７６、「仮締め」ボタン４７７、「お支払」ボタン４７８を備える。客数欄４３５は、客数をテンキー４２２で入力する欄である。
【００２４】
明細欄４５０ａは、「商品名」羅列欄４５１と、「個数」表示欄４５２と、「金額」表示欄４５３とが、空欄領域４５４ａと共に、左右方向に併置されて構成されている。明細欄４５０ａは、４行の明細行数が確保されている。例えば、商品名「グラスワイン」、個数「2」、金額「\1,600」と、商品名「クラフトビール」、個数「1」、金額「\980」と、商品名「カクテル」、個数「1」、金額「\700」と、商品名「日本酒」、個数「1」、金額「\1,200」との４行が表示されている。なお、空欄領域４５４ａの下部は、商品の数が少ないときには空欄となる。
【００２５】
図７の明細欄４５０ａでは、４行の表示に留まっているが、明細欄４５０ａの右側に付随するスクロールバーを動かすと、５行目に、例えば、商品名「緑茶」、個数「1」、金額「\300」が、さらに表示される。つまり、小計欄４１０（図７）は、これら５種類、６個の商品の合計「\4780」及び税「\354」が表示される。
【００２６】
図６のフローチャートに戻り、表示操作部１０の操作機能を用いて、入力された情報（入力情報）が「商品」であるか「顧客情報」であるか、「客層」であるか、「客数」であるかを判定する（Ｓ２１）。入力情報（必須情報）が「客層」である場合（Ｓ２１で「客層」）、電子機器１００は、客層が２０歳代か否か判定する（Ｓ２２）。客層が２０歳代であれば（Ｓ２２で「２０歳代」）、電子機器１００の関連情報生成部５３は、Ｓ２２の判定結果に基づいて、関連情報テーブル４１（図３）の番号４１ａを選択し、関連情報４１ｂとしての文字列４１ｄを設定し、処理をＳ３０に進める。具体的には、関連情報生成部５３は、関連情報テーブル４１の番号「００１」又は「００２」を選択し、客層に関する関連情報「アルコール確認」として、例えば、文字列「酒類の注文の有無を確認」や、文字列「２０歳以上であることの再確認」を設定する（Ｓ２３）。
【００２７】
一方、客層が２０歳代を超えているときは（Ｓ２２で「２０歳代超」）、電子機器１００は、関連情報４１ｂとしての文字列４１ｄを設定することなく、Ｓ３０に処理を進める。入力情報が「客数」（必須情報）である場合（Ｓ２１で「客数」）、電子機器１００は、客数が所定の客数（例えば、１０名）以上であるか否か判定する（Ｓ２４）。所定の客数以上であるとき（Ｓ２４で「以上」）、関連情報生成部５３は、関連情報テーブル４１の番号「００３」を選択し、客数に関連する関連情報（支援情報）「刺し盛りの推奨」として、文字列「高単価の刺し盛り（１０人前）をオススメして」を設定する（Ｓ２５）。一方、客数が所定の客数未満であるとき（Ｓ２４で「未満」）、電子機器１００は、関連情報を設定することなく、処理をＳ３０に進める。
【００２８】
入力情報が顧客情報（必須情報）である場合（Ｓ２１で「顧客情報」）、関連情報生成部５３は、関連情報テーブル４１の番号「００４」を選択し、顧客に関連する関連情報（付加情報）「直近の売上登録情報」を設定し（Ｓ２６）、処理をＳ３０に進める。このとき、関連情報生成部５３は、変数４１ｃ（図３）に列挙されている顧客情報（顧客名＝“高橋”、来店回数＝“１０”、平均単価＝“5,000”、前回来店日＝”3/18“）を適用して、関連情報「直近の売上登録情報」としての文字列「高橋様、１０回目の来店、平均5,000円、前回3/18来店」を設定する（Ｓ２６）。
【００２９】
入力情報が商品情報（必須情報）である場合（Ｓ２１で「商品」）、電子機器１００は、商品の在庫が所定数以上有るか否か判定する（Ｓ２７）。指定された商品の在庫が所定数以上であるとき（Ｓ２７で「以上」）、関連情報生成部５３は、関連情報テーブル４１の番号「００５」を選択し、顧客に関連する関連情報（付加情報）「商品の在庫情報」を設定し（Ｓ２８）、処理をＳ３０に進める。このとき、関連情報生成部５３は、変数４１ｃ（図３）に列挙されている商品情報（商品名＝“グラスワイン”、在庫数＝“１０”）を適用して、関連情報「商品の在庫情報」としての文字列「グラスワイン、在庫数  １０」を設定する（Ｓ２８）。
【００３０】
一方、指定された商品の在庫が所定数未満であるとき（Ｓ２７で「未満」）、関連情報生成部５３は、関連情報テーブル４１の番号「００５」を選択し、顧客に関連する関連情報（支援情報）「商品の発注情報」設定し（Ｓ２９）、処理をＳ３０に進める。このとき、関連情報生成部５３は、変数４１ｃ（図３）に列挙されている商品情報（商品名＝“グラスワイン”、在庫数＝“１０”）を適用して、関連情報「商品の発注情報」としての文字列「グラスワイン、残り在庫数 ２、要発注」（図１１参照）を設定する（Ｓ２９）。
【００３１】
Ｓ２３，Ｓ２５，Ｓ２６，Ｓ２８，Ｓ２９等の処理後、電子機器１００は、設定された関連情報としての文字列（表示内容）を売上データ処理装置２００の表示部２３０に表示させるように、売上データ処理装置２００に対して表示指示を行う（Ｓ３０）。これにより、売上データ処理装置２００の表示操作制御部２５２は、受信した表示内容（図８−図１３参照）を表示部２３０に表示させる。なお、商品の在庫が所定数未満になるときは（Ｓ２７で「未満」）、表示部２３０は、例えば、文字列「グラスワイン、残り在庫数 ２、要発注」（図１３参照）と点滅表示する。
【００３２】
電子機器１００は、Ｓ３０の処理後、売上登録画面４００（図７）の商品、顧客情報、客層、客数の全項目が入力されたか否か判定する（Ｓ３２）。商品、顧客情報、客層、客数の一部が入力されたのであれば（Ｓ３２で「一部入力」）、電子機器１００は、処理をＳ２０に戻し、売上登録画面４００を再表示する。一方、商品、顧客情報、客層、客数の全てが入力されたのであれば（Ｓ３２で「全入力」）、電子機器１００は、指定された商品の売上登録を実行する（Ｓ３３）。売上登録後、電子機器１００は、日次目標を達成したか否か判定する（Ｓ３４）。
【００３３】
日次目標を達成しなければ（Ｓ３４で「未達成」）、電子機器１００の関連情報生成部５３は、関連情報テーブル４１の番号「００７」を選択し、顧客に関連する関連情報（付加情報）「目標情報」を設定する（Ｓ３５）。このとき、関連情報生成部５３は、変数４１ｃ（図３）に列挙されている（目標客数＝“150”、目標売上＝“50”）を適用して、関連情報「目標情報」としての文字列「本日の目標、客数150人、売上50万円」（図１２参照）を設定する（Ｓ３５）。一方、日次目標を達成すれば（Ｓ３４で「達成」）、関連情報生成部５３は、関連情報テーブル４１の番号「００８」を選択し、顧客に関連する関連情報（付加情報）「目標達成」として、文字列「本日の売上目標額を達成しました。」を設定する（Ｓ３６）。
【００３４】
Ｓ３５又はＳ３６の処理後、電子機器１００は、設定された関連情報を表示部２３０に表示させる表示指示を売上データ処理装置２００に送信し、設定された関連情報としての文字列（表示内容）を売上データ処理装置２００に送信する（Ｓ３７）。これにより、売上データ処理装置２００は、表示部２３０に受信した表示内容（図１４，１５）を表示する（Ｓ３８）。Ｓ３７の処理後、電子機器１００は、Ｓ２０に処理を戻し、売上登録画面４００（図７）を再表示する。
【００３５】
本実施形態の売上データ処理システム１によれば、電子機器１００と売上データ処理２００との通信が確立している場合、電子機器１００の表示操作部１０が売上情報（顧客の客層、人数、商品）の入力を受け付けたとき、売上データ処理２００の表示部２３０は、売上情報（必須情報）に関連する関連情報（例えば、顧客に提供した過去の商品情報、商品の在庫情報）や支援情報（例えば、複数人用商品の斡旋情報、商品の発注を促す情報、売上目標を達成した旨を示す情報）を表示する。一方、電子機器１００と売上データ処理２００との通信が確立しない場合、売上データ処理２００の表示部２３０は、商品登録情報を前記表示部に表示する。
【００３６】
（変形例）
本発明は前記した実施形態に限定されるものではなく、例えば、以下のような種々の変形が可能である。
（１）前記実施形態の売上データ処理システム１は、実際に、売上登録を実行する動作について説明したが、売上登録をトレーニングするトレーニングモードを行うこともできる。ＭＥＮＵ画面で、トレーニングアプリのアイコンがタップ（所定の情報入力）されると、電子機器１００の表示操作部１０には、売上登録画面４００（図７）の文字列「売上登録」が文字列「売上登録（トレーニングモード）」に変更された売上登録画面４０１（図１６参照）が表示される。また、売上データ処理装置２００の表示部２３０（図１７参照）には、所定の情報に対する関連情報（支援情報）として、次に操作する操作情報、例えば、文字列「次は商品を１つ選び、『お支払』をタップしてください。」が表示される。これにより、操作者は、商品選択欄４４０の商品ボタンをタップして、「お支払」ボタン４７８をタップすればよいことが分かる。
【００３７】
（２）前記実施形態の売上データ処理システム１は、日次目標を達成しないとき（Ｓ３４で「未達成」）、図１４に示す目標情報を表示部２３０に表示させたが、Ｓ２１での情報入力が行われない無操作状態のときにも、図１４に示す目標情報を表示部２３０に表示させても構わない。つまり、表示操作部１０の操作状態に応じて、売上に関連する関連情報としての目標情報が売上データ処理装置２００の表示部２３０に表示される。
【００３８】
（３）前記実施形態の売上データ処理システム１は、関連情報「アルコール確認」としての文字列「酒類の注文の有無を確認」を客層が２０歳代であるときに表示させたが、例えば、顧客情報が入力されたときに表示させても構わない。
【００３９】
〔付記〕
＜請求項１＞
表示機能と操作機能とが一体化している表示操作部を有し、表示部を有する売上データ処理装置と通信接続可能な電子機器であって、
前記表示操作部の操作状態に応じて、売上に関連する関連情報を前記表示部に表示させる表示指示を前記売上データ処理装置に送信する制御部を備える
ことを特徴とする電子機器。
＜請求項２＞
請求項１に記載の電子機器であって、
前記制御部は、前記表示操作部の操作状態として、情報の入力を受け付ける
ことを特徴とする電子機器。
＜請求項３＞
請求項２に記載の電子機器であって、
前記情報は、売上情報であり、
前記関連情報は、商品の売り上げを支援する支援情報である
ことを特徴とする電子機器。
＜請求項４＞
請求項１に記載の電子機器であって、
前記操作状態は、前記表示操作部の操作が行われない無操作状態を含む
ことを特徴とする電子機器。
＜請求項５＞
請求項１に記載の電子機器であって、
前記表示部は、前記売上データ処理装置との通信が確立していないとき、商品登録情報を表示するものである
ことを特徴とする電子機器。
＜請求項６＞
表示部を有する売上データ処理装置と、表示機能と操作機能とが一体化している表示操作部を有する電子機器とが互いに通信可能に接続される電子機器システムであって、
前記電子機器は、所定の情報が前記表示操作部に入力されたとき、当該情報に関わる関連情報を前記表示部に表示させる表示指示を前記売上データ処理装置に送信し、
前記売上データ処理装置は、前記売上データ処理装置から受信した関連情報を前記表示部に表示する
ことを特徴とする売上データ処理システム。
＜請求項７＞
請求項６に記載の売上データ処理システムであって、
前記売上データ処理装置は、前記電子機器との通信が確立していないとき、商品登録情報を前記表示部に表示する
ことを特徴とする売上データ処理システム。
＜請求項８＞
表示機能と操作機能とが一体化している表示操作部を有し、表示部を有する売上データ処理装置と通信可能な電子機器の制御部によって実行されるプログラムであって、
所定の情報が前記表示操作部に入力されたとき、当該情報に関わる関連情報を前記表示部に表示させる表示指示を前記売上データ処理装置に送信させるステップを実行させる
ことを特徴とするプログラム。
＜請求項９＞
請求項２に記載の電子機器であって、
前記表示操作部に入力された情報は、顧客の年齢情報であり、
前記関連情報は、酒類提供の有無の確認又は年齢再確認を促す確認依頼情報である
ことを特徴とする電子機器。
＜請求項１０＞
請求項２に記載の電子機器であって、
前記表示操作部に入力された情報は、顧客が複数人である情報であり、
前記関連情報は、複数人用商品の斡旋情報である
ことを特徴とする電子機器。
＜請求項１１＞
請求項２に記載の電子機器であって、
前記表示操作部に入力された情報は、顧客を識別する情報であり、
前記関連情報は、前記顧客に提供した過去の商品情報である
ことを特徴とする電子機器。
＜請求項１２＞
請求項２に記載の電子機器であって、
前記表示操作部に入力された情報は、売上登録された商品に係る識別情報であり、
前記関連情報は、前記商品の在庫情報である
ことを特徴とする電子機器。
＜請求項１３＞
請求項２に記載の電子機器であって、
前記表示操作部に入力された情報は、売上登録された商品に係る識別情報であり、
前記関連情報は、前記商品の発注を促す情報である
ことを特徴とする電子機器。
＜請求項１４＞
請求項２に記載の電子機器であって、
前記表示操作部に入力された情報は、売上登録完了情報であり、
前記関連情報は、売上目標を達成した旨を示す情報である
ことを特徴とする電子機器。
＜請求項１５＞
請求項２に記載の電子機器であって、
前記表示操作部に入力された情報は、売上登録のトレーニングモードにおける操作情報であり、
前記関連情報は、操作手順を示すガイダンス情報である
ことを特徴とする電子機器。
【符号の説明】
【００４０】
１  売上データ処理システム
１０  表示操作部
２０，２２０  通信部
４０，２９０  ＲＯＭ（不揮発性記憶部）
４１  関連情報テーブル
４５  揮発性記憶部（関連情報）
５０  制御部
５１，２５１  売上登録部
５２，２５２  表示操作制御部
５３  関連情報生成部
１００  電子機器
２００  売上データ処理装置
２３０  表示部
２４０  操作部
２５０  制御部
２６０  印刷部
３１０  通信設定画面
４００、４０１  売上登録画面
４１０  小計欄
４２０  テンキー欄
４２１  数字表示欄
４３０  「お客様」欄
４３１  「お客様」特定欄
４３２  「客層」指定欄
４３５  客数欄
４５０  明細欄
４５４  空欄領域
４７０  画面選択欄
４７８  「お支払」ボタン
５００  標準「お支払」画面
５１０  明細欄
５２０  テンキー欄
５３０  合計欄
５３５  預かり金額欄
５５０  「本日の売上高」欄
５６０    外税表示欄
【図１】
2019220031.tif 000003
【図２】
2019220031.tif 000004
【図３】
2019220031.tif 000005
【図４】
2019220031.tif 000006
【図５】
2019220031.tif 000007
【図６】
2019220031.tif 000008
【図７】
2019220031.tif 000009
【図８】
2019220031.tif 000010
【図９】
2019220031.tif 000011
【図１０】
2019220031.tif 000012
【図１１】
2019220031.tif 000013
【図１２】
2019220031.tif 000014
【図１３】
2019220031.tif 000015
【図１４】
2019220031.tif 000016
【図１５】
2019220031.tif 000017
【図１６】
2019220031.tif 000018
【図１７】
2019220031.tif 000019